(57)【要約】【課題】特定パターンが付加された出力物に対して後処理を行った場合でも、特定パターンに起因するノイズが生じることのない画像形成装置を提供する。【解決手段】入力された画像データに特定パターンを付加して記録媒体上に画像形成を行う画像形成装置において、特定パターンの付加を禁止するマスク領域を生成するマスク生成部と、マスク領域に特定パターンの付加を禁止するよう画像形成を行う制御部と、を有する。【選択図】図２
2008228151.tif 000002
【特許請求の範囲】
【請求項１】
入力された画像データに特定パターンを付加して記録媒体上に画像形成を行う画像形成装置において、
前記特定パターンの付加を禁止するマスク領域を生成するマスク生成部と、
前記マスク領域に前記特定パターンの付加を禁止するよう画像形成を行う制御部と、
を有することを特徴とする画像形成装置。
【請求項２】
前記記録媒体に対する後処理情報が入力される入力部を有し、
前記マスク生成部は、前記後処理情報に基づいて前記マスク領域を設定することを特徴とする請求項１に記載の画像形成装置。
【請求項３】
前記後処理情報は、前記記録媒体の断裁予定位置であることを特徴とする請求項２に記載の画像形成装置。
【請求項４】
前記後処理情報は、前記記録媒体の折り予定位置であることを特徴とする請求項２に記載の画像形成装置。
【請求項５】
前記断裁予定位置又は前記折り予定位置は、トンボにより示されることを特徴とする請求項３又は４に記載の画像形成装置。
【請求項６】
前記後処理情報は、前記記録媒体の穿孔予定位置であることを特徴とする請求項２に記載の画像形成装置。
【請求項７】
前記記録媒体に対して複数の画像を割り付ける画像割付情報が入力される入力部を有し、
前記マスク生成部は、前記画像割付情報に基づいて前記マスク領域を設定することを特徴とする請求項１に記載の画像形成装置。
【請求項８】
前記マスク生成部は、前記記録媒体の形状に基づいて前記マスク領域を設定することを特徴とする請求項１に記載の画像形成装置。
【請求項９】
前記記録媒体は、ミシン目、送り孔、穿孔孔及び穿孔位置マークのうち少なくとも１つを有し、
前記マスク生成部は、ミシン目、送り孔、穿孔孔及び穿孔位置マークを含む領域を前記マスク領域として設定することを特徴とする請求項８に記載の画像形成装置。
【請求項１０】
請求項１〜９の何れか一項に記載の画像形成装置と、当該画像形成装置により画像形成された記録媒体に対して後処理を行う後処理装置とを備えることを特徴とする画像形成システム。
【発明の詳細な説明】
【技術分野】
【０００１】
本発明は、画像形成装置及び画像形成システムに関する。
【背景技術】
【０００２】
近年、カラー複合機やカラープリンタ等のカラー画像形成装置においては、紙幣や有価証券等の複写禁止原稿が複写された際に、その出所を追跡することができるよう、人間の目にはほとんど認識されない特定パターン（追跡パターン）を出力物に付加することが行われている（例えば、特許文献１参照）。
【０００３】
一方、上記カラー画像形成装置においては、多品種少量印刷の分野におけるデジタル印刷機としても利用されるようになってきており、穿孔、綴じ、折り、断裁等の機能を有する後処理装置を備えたシステムも普及してきている（例えば、特許文献２参照）。
【特許文献１】特開平４−２９４６８２号公報
【特許文献２】特開２００３−９５５３３号公報
【発明の開示】
【発明が解決しようとする課題】
【０００４】
特定パターンが付加された出力物に対して後処理を行う場合、以下のような問題が生じることがわかった。
【０００５】
例えば、特定パターンが付加された出力物を複数枚重ねて断裁した際に、それぞれの出力物の同じ位置に形成された特定パターンが、断裁面において繋がり、筋となって目立つ。また、例えば、特定パターンが付加された出力物を折って複数枚重ねた際にも、それぞれの出力物の同じ位置に形成された特定パターンが、折り部において繋がり、筋となって目立つ。
【０００６】
本発明は、以上のような問題に鑑みてなされたものであり、特定パターンが付加された出力物に対して、特定パターンに起因するノイズが生じることのない画像形成装置及び画像形成システムを提供することを目的としている。
【課題を解決するための手段】
【０００７】
本発明の画像形成装置は、入力された画像データに特定パターンを付加して記録媒体上に画像形成を行う画像形成装置において、前記特定パターンの付加を禁止するマスク領域を生成するマスク生成部と、前記マスク領域に前記特定パターンの付加を禁止するよう画像形成を行う制御部と、を有することを特徴としている。
【０００８】
本発明の画像形成システムは、本発明の画像形成装置と、当該画像形成装置により画像形成された記録媒体に対して後処理を行う後処理装置とを備えることを特徴としている。
【発明の効果】
【０００９】
本発明によれば、断裁エッジ、折り目、穿孔エッジ等に特定パターンが掛かることがなく、特定パターンに起因するノイズが生じることがなくなる。
【発明を実施するための最良の形態】
【００１０】
以下、図面に基づいて本実施形態について説明するが、一例であり、本実施形態に限定するものではない。
【００１１】
（システム構成）
図１は、本実施形態に係る画像形成システムの構成図である。画像形成システムは、ＰＣ（パーソナルコンピュータ）１、画像形成装置２、及び後処理装置４から構成されている。
【００１２】
ＰＣ１と画像形成装置２とは、ＬＡＮ等のネットワーク回線Ｎを介して通信可能となっている。画像形成装置２には後処理装置４が接続されており、後処理装置４は、画像形成装置２から排出された用紙を受け取り、後処理を行う。また、画像形成装置２と後処理装置４とはシリアル転送方式等の通信回線Ｓを介して通信可能になっている。
【００１３】
（ＰＣ１の構成）
ＰＣ１は、ＣＰＵ１１、ＲＯＭ１２、ＲＡＭ１３、ＨＤ（ハードディスク）１４、キーボードやマウス等の入力部１５、液晶ディスプレイ等の表示部１６、ＬＡＮカード等の通信部１７、等から構成されている。
【００１４】
ＨＤ１４には、画像データを作成するアプリケーションソフト、画像データを面付けする面付けソフト、プリンタドライバ、等がインストールされ記憶されている。
【００１５】
アプリケーションソフトにより作成された画像データは、面付けソフトにより面付けされ、プリンタドライバにより画像形成装置２で処理可能なデータに変換された後、通信部１７を介して画像形成装置２に送信される。
【００１６】
また、画像データ以外に、面付けソフト、プリンタドライバで設定した制御情報も送信される。例えば、面付けソフトで設定した断裁トンボ、折りトンボ、穿孔位置マークの位置情報、プリンタドライバにより設定された後処理情報（穿孔、綴じ、折り、断裁等）や画像割付情報（リピート、Ｎｉｎ１）、等が送信される。さらに、ＰＣ名、ＰＣへのログイン名等のＰＣ関連情報も制御情報として送信される。
【００１７】
（画像形成装置２の構成）
画像形成装置２は、制御プログラムやデータ等を記憶するＲＯＭ２２、制御プログラムに従って画像形成装置２の制御を実行する本発明の制御部としてのＣＰＵ２１、ＣＰＵ２１がワークエリアとして利用するＲＡＭ２３の他、以下の構成要素から構成されている。
【００１８】
操作表示部２４は、タッチパネル等で構成され、ユーザにより各種画像形成条件や後処理条件の設定等が行われる。
【００１９】
原稿読取部２５は、ユーザにより載置された原稿の画像を読み取り、画像データを出力する。
【００２０】
用紙搬送部２６は、画像形成部３２に向けて用紙を搬送し、画像形成された用紙を後処理装置４に向けて搬送する。
【００２１】
画像記憶部２７は、ＰＣ１又は原稿読取部２５から送られてきた画像データ、当該画像データを画像処理部２８又は画像合成部３１で処理した後の画像データ、等を記憶する。
【００２２】
画像処理部２８は、ＰＣ１又は原稿読取部２５から送られてきた画像データに対して、各種画像処理を行う。
【００２３】
パターン生成部２９は、画像形成装置２のシリアル番号、現在の日時、ＰＣ名、ＰＣへのログイン名、等に基づいて、追跡のための特定パターンを生成する。
【００２４】
マスク生成部３０は、ＰＣ１から送信されてきた制御情報、操作表示部２４で設定された画像形成条件や後処理条件の設定情報に基づいて、上記特定パターンに対するマスク領域を生成する。
【００２５】
画像合成部３１は、画像処理部２８で画像処理された画像データ、パターン生成部２９で生成された特定パターン、マスク生成部３０で生成されたマスク領域、との合成データを生成する。
【００２６】
画像形成部３２は、画像合成部３１で合成された画像データに基づいて、用紙搬送部２６により搬送されてきた用紙に対して画像を形成する。
【００２７】
通信部３３は、ＰＣ１から送信されてきた画像データ及び制御情報を受信する。通信部３３は、後処理情報及び画像割付情報が入力される本発明の入力部として機能する。
【００２８】
通信部３４は、ＰＣ１から送信されてきた後処理に関する制御情報、操作表示部２４で設定された後処理に関する制御情報を後処理装置４に送信する。
【００２９】
（後処理装置４の構成）
後処理装置４は、制御プログラムやデータ等を記憶するＲＯＭ４２、制御プログラムに従って後処理装置４の制御を実行するＣＰＵ４１、ＣＰＵ４１がワークエリアとして利用するＲＡＭ４３の他、以下の構成要素から構成されている。
【００３０】
操作表示部４４は、マニュアルで後処理を行う際の後処理条件の設定、後処理の実行指示、等が行われる。
【００３１】
用紙搬送部４５は、画像形成装置２から用紙を受け取り、穿孔部４６、綴じ部４７、折り部４８、断裁部４９に向けて用紙を搬送する。
【００３２】
穿孔部４６は、用紙に対していわゆる穿孔穴を穿孔する。
【００３３】
綴じ部４７は、搬送されてくる用紙を重ねて用紙束を形成し、当該用紙束をステープル針等により綴じる。
【００３４】
折り部４８は、用紙束を中折りしたり、１枚の用紙を２つ折り、３つ折り、Ｚ折りしたりする。
【００３５】
断裁部４９は、用紙束又は１枚の用紙を断裁する。
【００３６】
通信部５０は、画像形成装置２から送信されてきた後処理に関する制御情報を受信する。
【００３７】
（画像形成の概要）
図２は、本実施形態に係る画像形成の概要を示す模式図である。
【００３８】
図２（ａ）は、断裁トンボが設定された場合を示している。用紙Ｐの内側に画像領域Ｉが設けられており、当該画像領域Ｉ内に画像データ及び特定パターンＣが形成される。この特定パターンＣは、図２（ａ）に示されるように、画像領域Ｉの全面にわたって複数の繰り返しパターンとして形成される。また、画像領域Ｉ内には、断裁予定位置を示す４つの断裁トンボＴ１〜Ｔ４が示されている。Ｔ１−Ｔ２間、Ｔ２−Ｔ３間、Ｔ３−Ｔ４間、Ｔ４−Ｔ１間、の４辺で断裁が行われる。当該４辺に沿う所定幅Ｗの領域は、特定パターンＣの付加が禁止されるマスク領域Ｍとして設定される。マスク領域Ｍ内においては、画像データは画像形成されるものの、特定パターンＣは画像形成されない。所定幅Ｗは、装置の機械的誤差等による断裁位置のバラツキを考慮して適宜設定される。
【００３９】
このように、断裁される４辺を含むようにマスク領域Ｍを設けることで、断裁エッジに特定パターンＣが掛かることがなくなる。この結果、断裁エッジに特定パターンＣに起因するノイズが生じることがない。
【００４０】
図２（ｂ）は、２−リピートが設定された場合を示している。２−リピートとは、用紙Ｐ内に同じ画像を２枚割り付けて画像形成することである。２−リピート画像では、その後用紙Ｐを半分に切って使う確率が高いので、用紙Ｐの中央部に特定パターンＣの付加が禁止されるマスク領域Ｍが設けられている。もちろん、２枚割り付けに限らず、４枚割り付け等であっても構わない。４枚割り付けの場合は、縦横両方向の中央部に特定パターンＣの付加が禁止されるマスク領域Ｍが設けられる。
【００４１】
これにより、用紙Ｐが断裁されたとしても、断裁エッジに特定パターンＣが掛かることがなく、断裁エッジに特定パターンＣに起因するノイズが生じることがない。
【００４２】
図２（ｃ）は、穿孔が設定された場合を示している。穿孔予定位置Ｈの周囲に特定パターンＣの付加が禁止されるマスク領域Ｍが設けられている。
【００４３】
これにより、穿孔予定位置Ｈに穿孔されたとしても、穿孔エッジに特定パターンＣが掛かることがなく、穿孔エッジに特定パターンＣに起因するノイズが生じることがない。
【００４４】
上記場合に限らず、断裁、折り、穿孔が行われる場合又は行われる可能性がある場合において、断裁エッジ、折り目及び穿孔エッジを含むようにマスク領域Ｍを設けるようにすればよい。
【００４５】
冊子を作製すべく複数枚の用紙を中折り又は中綴じして断裁する場合には、内側の用紙ほど端部から遠い位置で断裁されることになるので、これを考慮して各用紙にマスク領域Ｍを設定することが好ましい。また、中折り又は中綴じの場合には、内側の用紙の折り目及び一番外側の用紙の内面の折り目についてはあまり目に触れないので、マスク領域Ｍを設けずに特定パターンＣを形成するようにしてもよい。
【００４６】
（制御フロー）
図３は、本実施形態に係る画像形成システムの制御フロー図である。一例として、ＰＣ１から画像データが入力される場合について示す。また、主に図２（ａ）の例に対応した説明を行う。
【００４７】
まず、ＰＣ１において、ユーザがＨＤ１４にインストールされているアプリケーションソフトを起動し、操作部１５及び表示部１６を用いて文章入力、画像の貼り付け等の入力を行うと、ＣＰＵ１１は、画像データを生成する（ステップＳ１）。
【００４８】
次に、ユーザがＨＤ１４にインストールされている面付けソフトを起動してステップＳ１で生成された画像データを開き、操作部１５及び表示部１６を用いて面付けのための入力を行うと、ＣＰＵ１１は、面付け画像データを生成する（ステップＳ２）。
【００４９】
図２（ａ）の例では、ユーザが面付けソフト上で断裁トンボＴ１〜Ｔ４の設定を行うことにより、ＣＰＵ１１は、ステップＳ１で生成した画像データに断裁トンボＴ１〜Ｔ４を付加した面付け画像データを生成する。また、このとき断裁トンボＴ１〜Ｔ４のそれぞれの位置情報を制御情報として生成する。
【００５０】
次に、ユーザが面付けソフト上で印刷指示を行うと、ＣＰＵ１１は、プリンタドライバを起動し、面付け画像データ、並びに面付けソフト及びプリンタドライバで設定された制御情報を画像形成装置２で処理可能なデータに変換し、通信部１７を介して画像形成装置２に送信する（ステップＳ３）。このとき、ＰＣ名、ＰＣへのログイン名等のＰＣ関連情報も制御情報として送信する。
【００５１】
図２（ａ）の例では、面付けソフト上で断裁トンボＴ１〜Ｔ４の設定が行われると、プリンタドライバは、自動的に「断裁」モードの設定を行う。そして、制御情報として、断裁トンボＴ１〜Ｔ４の位置情報、「断裁」モードの設定情報、ＰＣ関連情報、用紙サイズ情報等が画像形成装置２に送信される。
【００５２】
一方、図２（ｂ）及び図２（ｃ）の例の場合には、面付けソフトを特に必要としないので、ステップＳ１で画像データを生成した後は、アプリケーションソフト上で印刷指示を行う。印刷指示が行われると、ＣＰＵ１１は、プリンタドライバを起動し、プリンタドライバ画面を表示部１６に表示させる。このとき、ユーザがプリンタドライバ画面上でそれぞれ「２−リピート」モード、「穿孔」モードを設定する。これにより、ＣＰＵ１１は、図２（ｂ）の例では画像データを２枚割り付けた画像を面付け画像データとして生成し、図２（ｃ）の例では、ステップＳ１で生成した画像データをそのまま面付け画像データとして生成する。
【００５３】
そして、ＣＰＵ１１は、面付け画像データ、並びにプリンタドライバで設定された各モード設定情報、用紙サイズ情報、及びＰＣ関連情報等の制御情報を画像形成装置２で処理可能なデータに変換し、通信部１７を介して画像形成装置２に送信する。
【００５４】
次に、画像形成装置２のＣＰＵ２１は、通信部３３を介してステップＳ３により送信されてきた面付け画像データ及び制御情報を受信する（ステップＳ４）。
【００５５】
次に、ＣＰＵ２１は、受信した面付け画像データを画像処理部２８に入力し、画像処理部２８に各種画像処理を行わせる（ステップＳ５）。
【００５６】
次に、ＣＰＵ２１は、画像形成装置２のシリアル番号、現在の日時、ＰＣ名、ＰＣへのログイン名等をパターン生成部２９に入力し、パターン生成部２９にこれらの情報が含まれた特定パターンＣを生成させる（ステップＳ６）。シリアル番号は、例えばＲＯＭ２２に予め記憶されている。現在の日時は、画像形成装置２に設けられている不図示のタイマーから取得する。ＰＣ名及びＰＣへのログイン名は、ＰＣ１から受信した制御情報から取得する。
【００５７】
次に、ＣＰＵ２１は、ＰＣ１から送信されてきた制御情報のうちマスクの生成に必要な制御情報をマスク生成部３０に入力し、マスク生成部３０に特定パターンＣに対するマスク領域を生成させる（ステップＳ７）。
【００５８】
図２（ａ）の例では、断裁トンボＴ１〜Ｔ４の位置情報、「断裁」モードの設定情報、用紙サイズ情報等がマスク生成部３０に入力される。これにより、トンボ間の断裁予定位置を含んでマスク領域Ｍを設けることが可能となる。
【００５９】
図２（ｂ）の例では、「２−リピート」モードの設定情報、用紙サイズ情報等がマスク生成部３０に入力される。これにより、２−リピート画像の中央部すなわち用紙の中央部にマスク領域Ｍを設けることが可能となる。
【００６０】
図２（ｃ）の例では、「穿孔」モードの設定情報、用紙サイズ情報等がマスク生成部３０に入力される。これにより、穿孔予定位置Ｈの周囲にマスク領域Ｍを設けることが可能となる。
【００６１】
次に、ＣＰＵ２１は、画像処理部２８の面付け画像データ、パターン生成部２９の特定パターンＣ及びマスク生成部３０のマスク領域Ｍの各データを画像合成部３１に入力し、画像合成部３１にこれらのデータを合成させる（ステップＳ８）。画像合成部３１は、例えば、特定パターンＣとマスク領域Ｍとの「ＡＮＤ演算」を行い、さらに「ＡＮＤ演算」後のパターンデータと面付け画像データとの「ＯＲ演算」を行う。これにより、マスク領域Ｍにおいては、特定パターンＣは画像形成されず、面付け画像データのみが画像形成されることになる。
【００６２】
次に、ＣＰＵ２１は、ステップＳ８において合成された画像データを画像形成部３２に入力し、用紙搬送部２６により搬送されてきた用紙に対し、画像形成部３２に画像形成させる（ステップＳ９）。画像形成された用紙は、後処理装置４に向けて搬送される。
【００６３】
次に、ＣＰＵ２１は、通信部３４を介して後処理に関する制御情報を後処理装置４に送信する（ステップＳ１０）。これにより、穿孔、綴じ、折り、断裁等の後処理の種類、後処理を適用する用紙上の位置、用紙サイズ情報等の制御情報が送信される。
【００６４】
次に、後処理装置４のＣＰＵ４１は、ステップＳ１０により画像形成装置２から送信されてきた後処理に関する制御情報を通信部５０を介して受信する（ステップＳ１１）。
【００６５】
次に、ＣＰＵ４１は、受信した後処理に関する制御情報に基づいて、穿孔部４６、綴じ部４７、折り部４８、断裁部４９のうち対象となる後処理部に後処理を行わせる（ステップＳ１２）。
【００６６】
図４は、本実施形態に係る画像形成システムの制御フロー図の別の例である。図３のフローでは、ＰＣ１にインストールされている面付けソフトにより面付け画像データを生成する場合を示したが、図４のフローでは画像形成装置２において面付け画像データを生成する場合を示す。尚、一例として、予め画像記憶部２７に記憶されている画像データを用いる場合について示す。図３のフローの説明と重複する部分は、適宜省略する。
【００６７】
まず、ユーザが画像形成装置２の操作表示部２４を操作して対象となる画像データを選択すると、ＣＰＵ２１は、画像記憶部２７から当該画像データを読み込む（ステップＳ２１）。
【００６８】
次に、ユーザが操作表示部２４を用いて「断裁」モード、「２−リピート」モード、「穿孔」モード等のモード設定を行うと、ＣＰＵ２１は、対応した面付け画像データを生成する（ステップＳ２２）。
【００６９】
図２（ａ）の例では、ユーザが「断裁」モードにおいて断裁トンボＴ１〜Ｔ４の設定を行うと、ＣＰＵ２１は、ステップＳ２１で読み込んだ画像データに断裁トンボＴ１〜Ｔ４の画像を付加した面付け画像データを生成する。また、このとき、断裁トンボＴ１〜Ｔ４の位置情報を制御情報として生成する。
【００７０】
図２（ｂ）の例では、ユーザが「２−リピート」モードの設定を行うと、ＣＰＵ２１は、ステップＳ２１で読み込んだ画像データを２つ割り付けた面付け画像データを生成する。
【００７１】
図２（ｃ）の例では、ユーザが「穿孔」モードの設定を行うと、ＣＰＵ２１は、ステップＳ２１で読み込んだ画像データをそのまま面付け画像データとして生成する。
【００７２】
次に、ＣＰＵ２１は、受信した面付け画像データを画像処理部２８に入力し、画像処理部２８に各種画像処理を行わせる（ステップＳ２３）。
【００７３】
次に、ＣＰＵ２１は、画像形成装置２のシリアル番号、現在の日時等をパターン生成部２９に入力し、パターン生成部２９にこれらの情報が含まれた特定パターンＣを生成させる（ステップＳ２４）。
【００７４】
次に、ＣＰＵ２１は、操作表示部２４から入力した制御情報のうちマスクの生成に必要な制御情報をマスク生成部３０に入力し、マスク生成部３０に特定パターンＣに対するマスク領域を生成させる（ステップＳ２５）。
【００７５】
次に、ＣＰＵ２１は、画像処理部２８の面付け画像データ、パターン生成部２９の特定パターンＣ及びマスク生成部３０のマスク領域Ｍの各データを画像合成部３１に入力し、画像合成部３１にこれらのデータを合成させる（ステップＳ２６）。
【００７６】
次に、ＣＰＵ２１は、ステップＳ２６において合成された画像データを画像形成部３２に入力し、用紙搬送部２６により搬送されてきた用紙に対し、画像形成部３２に画像形成させる（ステップＳ２７）。画像形成された用紙は、後処理装置４に向けて搬送される。
【００７７】
次に、ＣＰＵ２１は、通信部３４を介して後処理に関する制御情報を後処理装置４に送信する（ステップＳ２８）。
【００７８】
次に、後処理装置４のＣＰＵ４１は、ステップＳ２８により画像形成装置２から送信されてきた後処理に関する制御情報を通信部５０を介して受信する（ステップＳ２９）。
【００７９】
次に、ＣＰＵ４１は、受信した後処理に関する制御情報に基づいて、穿孔部４６、綴じ部４７、折り部４８、断裁部４９のうち対象となる後処理部に後処理を行わせる（ステップＳ３０）。
【００８０】
以上のように、本実施形態によれば、断裁エッジ、折り目、穿孔エッジ等に特定パターンＣが掛かることがなく、特定パターンＣに起因するノイズが生じることがなくなる。
【００８１】
尚、上述したように、上記の実施形態における記述内容は、本発明に係る画像形成システムの好適な一例であり、これに限定されるものではない。以下のような変形も可能である。
【００８２】
本実施形態では、断裁トンボＴ１〜Ｔ４の位置情報を画像データとは別に制御情報として画像形成装置２に入力したが、画像データからトンボを認識して断裁トンボＴ１〜Ｔ４の位置情報を抽出するようにしてもよい。
【００８３】
本実施形態では、画像データをＰＣ１から入力したが、画像形成装置２の原稿読取部２５から入力することもできる。この場合、制御情報は、画像形成装置２の操作表示部２４からの入力に基づいて生成される。操作表示部２４が本発明の入力部として機能する。
【００８４】
本実施形態では、断裁トンボを設けて断裁を行う場合について示したが、断裁トンボを設けずに断裁を行う場合についても同様に、断裁エッジにマスク領域Ｍを設ける。
【００８５】
本実施形態では、断裁トンボについて示したが、折りトンボについても同様である。
【００８６】
本実施形態では、普通の用紙を用いる場合について示したが、連続紙等のミシン目、送り孔が設けられている用紙、予め穿孔孔や穿孔位置マーク等が設けられている用紙、等の特殊紙を用いる場合には、ミシン目、送り孔、穿孔孔、穿孔位置マークを含む領域をマスク領域Ｍとして設定し、特定パターンＣが付加されないようにすることが好ましい。当該部分の位置は、予めその位置座標等を直接入力しておいてもよいし、用紙中のこれらの位置を読み取って取得するようにしてもよい。
【００８７】
本実施形態では、後処理装置４が画像形成装置２に接続され、画像形成と後処理とが一連の動作として行われる場合について示したが、画像形成装置と後処理装置とが独立して配置され、ユーザが画像形成された用紙を取り出して後処理装置にセットする場合にも適用することができる。この場合、画像形成装置は後処理に関する情報の設定が可能なように構成されており、画像形成を行う際にはその後後処理装置において行う後処理を考慮して予め後処理に関する情報を設定しておく。
【図面の簡単な説明】
【００８８】
【図１】本実施形態に係る画像形成システムの構成図である。
【図２】本実施形態に係る画像形成の概要を示す模式図である。図２（ａ）は、断裁トンボが設定された場合を示している。図２（ｂ）は、２−リピートが設定された場合を示している。図２（ｃ）は、穿孔が設定された場合を示している。
【図３】本実施形態に係る画像形成システムの制御フロー図である。
【図４】本実施形態に係る画像形成システムの制御フロー図の別の例である。
【符号の説明】
【００８９】
１  ＰＣ
２  画像形成装置
２１  ＣＰＵ
２９  パターン生成部
３０  マスク生成部
３１  画像合成部
３２  画像形成部
３３  通信部
４  後処理装置
４６  穿孔部
４７  綴じ部
４８  折り部
４９  断裁部
【図１】
2008228151.tif 000003
【図２】
2008228151.tif 000004
【図３】
2008228151.tif 000005
【図４】
2008228151.tif 000006
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
入力された画像データに特定パターンを付加して記録媒体上に画像形成を行う画像形成装置において、
前記記録媒体に対する後処理情報が入力される入力部と、
入力された前記後処理情報に基づいて、前記特定パターンの付加を禁止するマスク領域を生成するマスク生成部と、
前記マスク領域に前記特定パターンの付加を禁止して画像形成を行う制御部と、
を有することを特徴とする画像形成装置。
【請求項２】
前記後処理情報は、前記記録媒体の断裁予定位置であることを特徴とする請求項１に記載の画像形成装置。
【請求項３】
前記後処理情報は、前記記録媒体の折り予定位置であることを特徴とする請求項１に記載の画像形成装置。
【請求項４】
前記断裁予定位置又は前記折り予定位置は、トンボにより示されることを特徴とする請求項２又は３に記載の画像形成装置。
【請求項５】
前記後処理情報は、前記記録媒体の穿孔予定位置であることを特徴とする請求項１に記載の画像形成装置。
【請求項６】
前記入力部から入力される後処理情報が、前記記録媒体に対して複数の画像を割り付ける画像割付情報を含み、
前記マスク生成部は、前記画像割付情報に基づいて前記マスク領域を設定することを特徴とする請求項１に記載の画像形成装置。
【請求項７】
前記入力部から入力される後処理情報が、前記記録媒体の形状に係る情報を含み、
前記マスク生成部は、前記記録媒体の形状に基づいて前記マスク領域を設定することを特徴とする請求項１に記載の画像形成装置。
【請求項８】
前記記録媒体は、ミシン目、送り孔、穿孔穴及び穿孔位置マークのうち少なくとも１つを有し、
前記マスク生成部は、ミシン目、送り孔、穿孔穴及び穿孔位置マークを含む領域を前記マスク領域として設定することを特徴とする請求項７に記載の画像形成装置。
【請求項９】
請求項１〜８の何れか一項に記載の画像形成装置と、当該画像形成装置により画像形成された記録媒体に対して後処理を行う後処理装置とを備えることを特徴とする画像形成システム。
【手続補正２】
【補正対象書類名】明細書
【補正対象項目名】０００７
【補正方法】変更
【補正の内容】
【０００７】
本発明の画像形成装置は、入力された画像データに特定パターンを付加して記録媒体上に画像形成を行う画像形成装置において、前記記録媒体に対する後処理情報が入力される入力部と、入力された前記後処理情報に基づいて、前記特定パターンの付加を禁止するマスク領域を生成するマスク生成部と、前記マスク領域に前記特定パターンの付加を禁止して画像形成を行う制御部と、を有することを特徴としている。
【手続補正３】
【補正対象書類名】明細書
【補正対象項目名】００８６
【補正方法】変更
【補正の内容】
【００８６】
本実施形態では、普通の用紙を用いる場合について示したが、連続紙等のミシン目、送り孔が設けられている用紙、予め穿孔穴や穿孔位置マーク等が設けられている用紙、等の特殊紙を用いる場合には、ミシン目、送り孔、穿孔穴、穿孔位置マークを含む領域をマスク領域Ｍとして設定し、特定パターンＣが付加されないようにすることが好ましい。当該部分の位置は、予めその位置座標等を直接入力しておいてもよいし、用紙中のこれらの位置を読み取って取得するようにしてもよい。